(57)【要約】【課題】本考案は、ゴルフクラブをキャディバッグ内に収容する等して運搬したり、携行する時に、アイアンクラブのヘッド相互が振動による衝突や擦れる等して傷付くのを防止し、使用時にカバーを取り外さずに所望番数のアイアンクラブを外部から確認し、選択し、またキャディバッグに対する出し入れが容易かつ確実に行える等、取り扱いを簡便にする。【解決手段】柔軟性部材により形成された横長のカバー本体１と、該カバー本体の裏面に側壁部２ａの上端および下端を開口部３,３となし側端２ｂを前記カバー本体に固着することにより長手方向Ｘに交叉して複数個並設された略筒状のヘッド収納部２,２・・・２と、を有する。【選択図】図１
0003108904.tif 000002
【実用新案登録請求の範囲】
【請求項１】
柔軟性部材により形成された横長のカバー本体と、側壁部の上端および下端を開口部となし側端を前記カバー本体の裏面に固着することにより長手方向に交叉して複数個が並設された略筒状のヘッド収納部と、を有することを特徴とするゴルフクラブのヘッドカバー。
【請求項２】
前記カバー本体が、長手方向の一端と他端とに対応して着脱可能に装着された適宜係止具と、上縁部および下縁部に装着され上辺および下辺の長さを伸縮して開閉可能になる開閉手段と、を有することを特徴とする請求項１に記載のゴルフクラブのヘッドカバー。
【請求項３】
前記ヘッド収納部が、その全部または一部を透明材により形成されていることを特徴とした請求項１または２に記載のゴルフクラブのヘッドカバー。
【請求項４】
前記ヘッド収納部の側壁部には、アイアンクラブのヘッドの顎部外形に合致するくり部が形成されることを特徴とする請求項１〜３の何れか１項に記載のゴルフクラブのヘッドカバー。
【請求項５】
前記係止具が、雄状の係止鉤群と該係止鉤群が係脱可能な雌状の係止ループ群とよりなる面ファスナーであるか、或いは、スライダーを有するファスナー、雄雌のスナップ、ボタンとボタン孔、及びマグネットによる磁気的吸引手段から選ばれる何れかであることを特徴とする請求項１〜４の何れか１項に記載のゴルフクラブのヘッドカバー。
【請求項６】
前記開閉手段が、前記カバー本体の上辺または下辺に沿って縫着したトンネル縁部内に挿通される締紐を備えた巾着であることを特徴とする請求項１〜５の何れか１項に記載のゴルフクラブのヘッドカバー。
【考案の詳細な説明】
【技術分野】
【０００１】
本考案はゴルフクラブのヘッドカバーに関し、ゴルフクラブをキャディバッグ内に収容する等して運搬したり、携行する時にアイアンクラブのヘッド相互が振動により衝突して擦れる等して傷付くのを防止し、しかも使用時にはカバーを取り外さなくても自己が欲する所望番数のアイアンクラブをカバーの外部から確認し、選択してキャディバッグ内の所望個所に容易かつ確実に出し入れすることができる等、取り扱いを簡便にするものである。
【背景技術】
【０００２】
ゴルフクラブのヘッドを保護するためのカバーとしては、在来、各ゴルフクラブ毎のヘッドに一本づつ被せる単体カバーが多く普及していた。ところが、この単体カバーは、ゴルフクラブのサイズに合わせて、多種のカバーを必要とするので、不経済であり、ゴルフクラブの使用時または不使用時でのヘッドに対する着脱操作も繁多になり、取り扱いも不便になる。しかも、ヘッドから取り外される単体カバーは紛失することがあった。
【０００３】
このような単体カバーを使用する場合には、ゴルフクラブのサイズに合わせて、多種のカバーを必要とするので、使用時または不使用時でのヘッドに対する着脱操作が繁多になり、取り扱いも不便であるため、これらの欠点を解決するゴルフクラブのヘッドカバーとしてゴルフクラブをキャディバッグ（ゴルフバッグ）に収容した時に、ゴルフクラブ全体を一纏めにして一度にヘッドに被せる形式の袋状のカバーが従来あった（例えば特許文献１参照）。
【０００４】
また、他の従来例として横長の布地に複数の柔軟な袋体を連続して設けることにより多数のゴルフクラブのヘッドを個別に各袋体に収納することによりヘッド相互が振動により衝突して擦れる等して傷付くのを防止するものがあった（例えば特許文献２参照）。
【特許文献１】特開平８−２９４５５４号公報
【特許文献２】実開平５−３３７５１号公報
【考案の開示】
【考案が解決しようとする課題】
【０００５】
ところで、上記特許文献１に記載の上記従来のゴルフクラブのヘッドカバーは、キャディバッグに収容するアイアンクラブ等のゴルフクラブ全体を一纏めにして袋状のカバーをヘッドに被せて包むものであるので、キャディバッグにより運搬したり、携行する時にカバー内に包み込まれているアイアンクラブのヘッド相互が振動により衝突したり、擦れる等して傷が付くとともに衝突音が発生する、という問題点があった。
【０００６】
また、特許文献２に記載の上記従来のゴルフクラブのヘッドカバーは、横長の布地に複数の柔軟な袋体を連続して設けることにより多数のゴルフクラブのヘッドを個別に各袋体内に収納するものであるので、キャディバッグを用いて運搬したり、携行する時に例えばアイアンクラブのヘッド相互が振動により衝突したり、擦れたりしないで済み、傷が付くのが防止される点で特許文献１に記載のヘッドカバーよりも優れている。
【０００７】
しかしながら、この特許文献２に記載のゴルフクラブのヘッドカバーは、特許文献１に記載のヘッドカバーと同様に、競技等のゴルフクラブの使用時にはヘッドカバーをヘッドから取り外さなければ、例えばプレイに必要な所望番数のアイアンクラブであるか否かをキャディバッグの外部から確認することができず、ゴルフクラブをキャディバッグから探して取り出すのに多くの時間および手間がかかる、という問題点があった。
【０００８】
しかも、ゴルフクラブの使用後は、使用時に取り外しておいたヘッドカバーの袋体内に下方からヘッドを再度収納してヘッドに被せた後にキャディバッグ内の所望個所にゴルフクラブを収容しなければならず、同様に事後処理も多くの時間および手間がかかり、取り扱いに不便であった。
【０００９】
このように、特許文献１、および特許文献２に記載の従来のゴルフクラブのヘッドカバーは、使用時にはカバーを必ず取り外す必要があり、しかも、カバーの取り外しを行わなければ所望番数のアイアンクラブを外部から確認し、プレイに必要な所望のゴルフクラブを選択することができなかった。その上、ゴルフクラブのキャディバッグに対する出し入れ操作が容易には行えず、取り扱いが繁多で不便なものであった。
【００１０】
本考案はかかる問題点を解決することを目的とする。即ち、本考案は、ゴルフクラブをキャディバッグ内に収容する等して運搬したり、携行する時に、アイアンクラブ等のヘッド相互が振動により衝突したり、擦れる等して傷付くのを防止し、しかも、ゴルフクラブの使用時にはカバーを取り外さなくても例えば所望番数のアイアンクラブを外部から容易に確認して選択し、さらには、カバーを取り外さなくてもキャディバッグの所望個所に所望のゴルフクラブを容易かつ確実に出し入れすることができる等、取り扱いを簡便にすることを目的とする。
【課題を解決するための手段】
【００１１】
本考案は上記課題に鑑みてなされ請求項１に記載の考案は、柔軟性部材により形成された横長のカバー本体と、側壁部の上端および下端を開口部となし側端を前記ヘッドカバーの裏面に固着することにより長手方向に交叉して複数個が並設された略筒状のヘッド収納部と、を有することを特徴とする。
【００１２】
また、本考案の請求項２に記載の考案は、請求項１において前記カバー本体が、長手方向の一端と他端とに対応して着脱可能に装着された適宜係止具と、上縁部および下縁部に装着され上辺および下辺の長さを伸縮して開閉可能になる開閉手段と、を有することを特徴とする。
【００１３】
また、本考案の請求項３に記載の考案は、請求項１または２において、前記ヘッド収納部が、その全部または一部を透明材により形成されていることを特徴とした。
【００１４】
また、本考案の請求項４に記載の考案は、請求項１〜３の何れか１項において、前記ヘッド収納部の側壁部には、アイアンクラブのヘッドの顎部外形に合致するくり部が、形成されることを特徴とする。
【００１５】
また、本考案の請求項５に記載の考案は、請求項１〜４の何れか１項において、前記係止具が、雄状の係止鉤群と該係止鉤群が係脱可能な雌状の係止ループ群とよりなる面ファスナーであるか、或いは、スライダーを有するファスナー、雄雌のスナップ、ボタンとボタン孔、及びマグネットによる磁気的吸引手段から選ばれる何れかであることを特徴とする。
【００１６】
また、本考案の請求項６に記載の考案は、請求項１〜５の何れか１項において、前記開閉手段が、前記カバー本体の上辺または下辺に沿って縫着したトンネル縁部内に挿通される締紐を備えた巾着であることを特徴とする。
【考案の効果】
【００１７】
本考案は、ゴルフクラブをキャディバッグ内に収容する等して運搬したり、携行する時に、アイアンクラブ等のヘッド相互が振動により衝突したり、擦れる等して傷付くのが防止でき、しかも、ゴルフクラブの使用時にはカバーを取り外さなくても例えば所望番数のアイアンクラブを外部から容易に確認して選択でき、さらには、カバーを取り外さなくてもキャディバッグの所望個所に所望のゴルフクラブを容易かつ確実に出し入れすることができる等、取り扱いが簡便になるという効果がある。
【考案を実施するための最良の形態】
【００１８】
以下、図面に従って本考案を実施するための最良の形態ににつき、詳細に説明する。
【００１９】
図１は本考案のゴルフクラブのヘッドカバーの実施形態１の展開状態を示す斜視図、図２は同じくカバー本体の両端が僅かにつぼめられた斜視図、図３は同じく本実施形態１を構成するカバー本体の柔軟性部材を示す拡大断面図、図４は同じく本実施形態１のヘッドカバーによりヘッドが覆われゴルフクラブの使用状態の一例を示す拡大斜視図、図５は同じく不使時に折り畳んだ状態の斜視図である。
【００２０】
本実施形態１は、図１において、柔軟性部材により形成された横長のカバー本体１と、側壁部２ａの上端および下端を開口部３,３となし、側端２ｂ,２ｂを前記ヘッドカバー本体１の裏面に固着することにより長手方向Ｘに交叉して複数個が並設された略筒状のヘッド収納部２と、を有する。
【００２１】
また、前記カバー本体１が、図３において合成繊維、合成樹脂軟質シート、合成皮革、布等の何れかにより形成される表面部材４と、合成樹脂軟質シート、合成皮革、布等の何れかにより形成される裏面部材５と、前記表面部材４と裏面部材５との間に介在される合成樹脂発泡部材、海綿、綿等の緩衝部材６とを重合して形成される。
【００２２】
また、前記カバー本体１が、長手方向Ｘの一端１ａと他端1ｂとに対応して着脱可能に装着された適宜係止具７と、上縁部および下縁部に装着され上辺Ｊ１および下辺Ｊ２の長さＬ１,Ｌ２を伸縮して開閉可能になる開閉手段８と、を装着している。
【００２３】
また、前記ヘッド収納部２は、柔軟性と伸縮性に富み、また引っ張り、圧縮、曲げに対して強度を発揮し、撥水性があり、汚れにも強い例えば合成繊維布、本実施形態１ではナイロン繊維布により形成される。また、このヘッド収納部２を形成するのには、例えば図１に示すように前記カバー本体１よりも幅狭の長さが長い前記合成繊維布を用いて連続した山形に折り畳むことにより、カバー本体１に対向する両端部２ｃ,２ｄと折曲端に相当する側端２ｂ,２ｂ・・・とを前記カバー本体１の裏面にそれぞれ固着することにより形成される。この固着手段は縫着しても良いし、接着剤を用いて接着するほか、高周波溶着したり、超音波溶着する等の何れかにより容易に達成される。
【００２４】
そして、本実施形態１では、図１に示すようにこのヘッド収納部２,２・・・２は、３番アイアンから９番アイアンの７本と、ピッチングウェッジ、アプローチウェッジ、サンドウェッジ、パター等との４本の合計１１本のゴルフクラブのヘッドを収納するために１１個が形成されるが、このヘッド収納部２,２・・・２は図示は代表的な例示であり、その増減変更は図示するものに限らず自由に変更することができる。
【００２５】
また、このヘッド収納部２,２・・・２の大きさは、例えばロングアイアンからショートアイアンはもとよりアイアンクラブＩとしてヘッドの大きさが最も大きなサンドウェッジのヘッドを把持して充分に収容することができる大きさであるとともに、成人男性における平均人の手の拳が充分に挿入できる大きさの内径φに形成されている。
【００２６】
９は前記ヘッド収納部２,２・・・２の上縁および下縁の外側に縫着されたリボン状の補強布であり、この補強布９はヘッド収納部２,２・・・２の繊維糸の解れを防止するとともにヘッド収納部２,２・・・２に対するゴルフクラブのヘッドの出し入れ操作を摩擦による抵抗を軽減して迅速かつ円滑にするためのものである。
【００２７】
また、前記係止具７が、横長のカバー本体１の一端１ａと他端１ｂとを係脱可能に係止することによりカバー本体１の両端１ａ,１ｂを略筒状に組み付けたり、またはカバー本体１を展開状態にするためのものであり、この係止具７は本実施形態１では図に示すように雄状の係止鉤群７Ａと該係止鉤群７Ａが係脱可能な雌状の係止ループ群７Ｂとよりなる面ファスナーが使用されるが、これは代表的な例示であり、係止具７としてはこのほかに図には示さないがスライダーを有するファスナー、雄雌のスナップ、ボタンとボタン孔、及びマグネットによる磁気的吸引手段から選ばれる何れかが使用されることにより横長のカバー本体１の一端１ａと他端１ｂとは係脱可能に設けられる。
【００２８】
また、前記開閉手段８が、本実施形態１では図示するように前記カバー本体１の上辺Ｊ１または下辺Ｊ２に沿って縫着したトンネル縁部１０内に挿通される締紐１１を備えた巾着１２である。１３は前記締紐１１の端部に装着された係止部品としてのフック材であり、このフック材１３は後記ネット状の袋１６や後記尾錠１９等に係脱可能に係止される。
【００２９】
１４は前記締紐１１に摺動可能に装着されたストッパー部材であり、このストッパー部材１４は公知形式のものが使用され、例えば内部に介装したコイルばねの附勢力を受ける摺動部品を締紐１１の所望位置に止着させ、締紐１１の開閉度を制御するためのものである。
【００３０】
なお、１５は例えばドライバーＤ、ウッド、各種アイアンクラブＩ、ピッチングウェッジ、アプローチウェッジ、サンドウェッジ、パター等のゴルフクラブを収容することにより運搬したり、携行するためのキャディバッグである。１６は該キャディバッグ１５の口部外周に手袋、ゴルフボール等の小物を収納するために設けたネット状の袋である。また、１７は背負い紐１８の尾錠１９を着脱可能に取付けるための取付部である。
【００３１】
＜カバーの被閉＞
本考案のゴルフクラブのヘッドカバーの実施形態１は以上の構成からなり、ゴルフクラブ、すなわち、ドライバーＤ、ウッドのほか、各種アイアンクラブＩ、ピッチングウェッジ、アプローチウェッジ、サンドウェッジ、パター等をキャディバッグ１５内に収容して運搬したり、競技に際して携行するのには、ドライバーＤ、ウッド等のゴルフクラブを除いて各種アイアンクラブＩ、ピッチングウェッジ、アプローチウェッジ、サンドウェッジ、パター等のゴルフクラブを、カバー本体１が柔軟性部材により横長に形成された本実施形態１のヘッドカバーにより覆うとともに、カバー本体１の裏面に形成されたヘッド収納部２,２・・・２内に前述の各種アイアンクラブＩ等のヘッドを個別に収納することによりキャディバッグ１５にて運搬し、携行を行う。
【００３２】
この時、本実施形態１のゴルフクラブのヘッドカバーは、横長のカバー本体１の裏面に側壁部２ａの上端および下端に開口部３,３を有する略筒状のヘッド収納部２,２・・・２が両端２ｃ,２ｄと、側端２ｂとを固着することにより長手方向Ｘに交叉して複数個、図１では１１個並設されることにより、上下方向および左右方向が対称構造に形成されているので、使用者はカバー本体１を例えば図１に示すように上辺Ｊ１を上側にするとともに下辺Ｊ２を下側に配した横長に使用することができるほか、図１とは上下が逆に上辺Ｊ１を下側に配置し、且つ下辺Ｊ２を上側に配置することにより使用することができ、カバー本体１を自己の好みに応じて右勝手または左勝手に使い勝手を違えて使用することができる。
【００３３】
そして、各種アイアンクラブＩ等のヘッドを覆うのには、先ず、横長のカバー本体１の裏面に長手方向Ｘに交叉して複数個が設けられ、側壁部２ａの上端および下端に開口部３,３をそれぞれ有した略筒状のヘッド収納部２,２・・・２内にアイアンクラブＩ等のヘッドを個別に挿入して収納する。
【００３４】
この際、ヘッド収納部２,２・・・２内にアイアンクラブＩ等のヘッドを挿入する配列順序は、キャディバッグ１５内に下方のグリップやシャフトが挿入される例えば３番アイアンから９番アイアンの各ゴルフクラブのヘッドを図１に示すヘッド収納部２,２・・・２の端から順に整然と収納しても良いし、または、使用者が使用頻度の多いアイアンクラブＩに応じて使い易い位置のヘッド収納部２,２・・・２内にヘッドを収納する等、自己の好みに合致するように不規則な配列順序にてヘッド収納部２,２・・・２内にアイアンヘッドＩを収納するようにしても良い。
【００３５】
次いで、横長のカバー本体１の長手方向Ｘの一端１ａと他端１ｂとに対応して装着した適宜係止具７として本実施形態１では図１に示すように雄状の係止鉤群７Ａを雌状の係止ループ群７Ｂに係止することにより横長のカバー本体１を無端状に組み付けることにより、ヘッド収納部２,２・・・２内にヘッドが前述のように収納されたアイアンクラブＩ等をカバー本体１内に巻き込んで一纏めにする。
【００３６】
そして、この状態においてカバー本体１の下縁部に下辺Ｊ２の長さを伸縮して開閉可能に設けられた開閉手段８、本実施形態１ではカバー本体１の下辺Ｊ２に沿って縫着したトンネル縁部１０内に挿通されている巾着１２の締紐１１を引き締めることによりカバー本体１の下縁をつぼめてストッパー材１４にて止着する。
【００３７】
そして、下側の巾着１２の締紐１１の端部に装着されている係止部品としてのフック材１３をキャディバッグ１５の口部外周に手袋、ゴルフボール等の小物を収納するために設けたネット状の袋１６に係止したり、または取付部１７に取付けられている背負い紐１８の尾錠１９等に係止することによりカバー本体１の下側をキャディバッグ１５に固定して不用意にアイアンクラブＩがキャディバッグ１５内において移動するのを阻止する。
【００３８】
その後、カバー本体１の上縁部に上辺Ｊ１の長さを伸縮して開閉可能に設けられた開閉手段８、本実施形態１ではカバー本体１の上辺Ｊ２に沿って縫着したトンネル縁部１０内に挿通されている巾着１２の締紐１１を引き締めてストッパー部材１４にて止着することによりカバー本体１の上部をつぼめて閉じ、アイアンクラブＩを覆う。
【００３９】
そして、同様に上側の巾着１２の締紐１１の端部に装着されている係止部品としてのフック材１３を前記袋１６に係止したり、または取付部１７に取付けられている背負い紐１８の尾錠１９等に係止することによりカバー本体１の上側をキャディバッグ１５に対して固定するとともに不用意にアイアンクラブＩがキャディバッグ１５内において移動するのを阻止する。この結果、ヘッド収納部２,２・・・２内に個別に収納されてカバー本体１内に包み込まれているアイアンクラブＩ等のヘッドは、キャディバッグ１５により運搬したり、携行する時にヘッド相互が振動により衝突したり、擦れる等して傷が付くのが防止されとともに衝突音の発生もない。
【００４０】
＜使用時または不使用時におけるゴルフクラブの出し入れ操作＞
そして、競技に際しての自己が望む所望番数のアイアンクラブＩ、ピッチングウェッジ、アプローチウェッジ、サンドウェッジ、パター等の何れかのゴルフクラブをキャディバッグ１５から取り出すのには、先ずネット状の袋１６、または背負い紐１８の尾錠１９等に対するフック材１３の係止を解くことによりカバー本体１の上辺Ｊ１を閉じている上側の開閉手段８としての巾着１２の締紐１１の自由度を確保する。
【００４１】
次いで、カバー本体１の上辺Ｊ１を閉じている前記巾着１２の締紐１１を止着しているストッパ部材１４の内部に介装したコイルばねの附勢力に抗して摺動部品を押し込むことによりこの締紐１１に対する摺動部品の係止を解放した後に締紐１１の止着位置から摺動部品を所望位置まで移動してカバー本体１の上部を開く。
【００４２】
その後、使用者がキャディバッグ１５の口部にカバー本体１を取付けてヘッド収納部２,２・・・２内に個別にヘッドを挿入して収納したままカバー本体１を取り外すことなく、前述のように開閉手段８が開かれたカバー本体１内を上部から覗き込むという簡単な取り扱いにより、略筒状のヘッド収納部２,２・・・２の上方の開口部３を通じてこのヘッド収納部２,２・・・２の内部にヘッドが収納されているゴルフクラブが、何番のアイアンクラブＩであるか、またピッチングウェッジ、アプローチウェッジ、サンドウェッジ、パター等の何れかであるか否かを外部から容易かつ確実に確認することができる。
【００４３】
そして、使用者はカバー本体１をキャディバッグ１５から取り外すことなく、取付けたまま、手をカバー本体１内に入れ、さらに略筒状の所望のヘッド収納部２内に上側の開口部３から手を差し込んでヘッドを握り、カバー本体１をしたまま外部から所望のアイアンクラブＩ等を取り出し、プレーに供することができる。
【００４４】
その後、プレーが済んだアイアンフクラブＩ等は、上側の開閉手段８としての巾着１２が開かれているカバー本体１の上方からカバー本体１内の空のヘッド収納部２の上側の開口部３を通じてヘッド収納部２内に再びグリップ側から挿入されることによりそのヘッドがヘッド収納部２内に挿入され、アイアンクラブＩ等はキャディバッグ１５内に収納される。
【００４５】
このようにして、競技中においてキャディバッグ１５にカバー本体１を取付けたまま取り外すことなく、開閉手段８を開くことによりカバー本体１の外部から所望のアイアンクラブＩを確認し、取り出すことができるとともにキャディバッグ１５の所望位置に入れることができる。
【００４６】
そして、競技が済んでから、カバー本体１の上方に開かれている開閉手段８としての巾着１２の摺動部品をコイルばねの附勢力に抗して押し込んで摺動することにより締紐１１を引き締めるようにして開閉手段８を閉じ、締紐１１の端部に装着されているフック材１３を袋１６または尾錠１９等に固定し、しかもヘッド収納部２,２・・・２内に個別に収納されているヘッドをカバー本体１により包み込んで保護し、キャディバッグ１５によりゴルフクラブを運搬、携行することができる。
【００４７】
図６に示すものは本考案の実施形態２である。この実施形態２では、ヘッド収納部２,２・・・２が、図６に示すように全部が透明な合成樹脂軟質シートのような透明材２０により形成されるか、または図には示さないが一部が透明材２０により形成されたことにより、ヘッド収納部２,２・・・２内にヘッドが収納されたままのゴルフクラブをヘッド収納部２,２・・・２内に収納したまま競技中でも前記実施形態１よりさらに容易かつ確実に確認することができる点で前記実施形態１とは異なる構成、作用であるほかは、前記実施形態１と同様の構成、作用である。
【００４８】
さらに、図７に示すものは本考案の実施形態３である。この実施形態３においては、ヘッド収納部２,２・・・２の側壁部２ａにはアイアンクラブのヘッドの顎部外形Ｈに合致するくり部３０が形成されることによりヘッド収納部２,２・・・２内に挿入されるゴルフクラブのヘッドがくり部３０にヘッドの顎部外形Ｈが係合されて不用意な抜け出しを防止して確実に携行するようにした点が前記実施形態１および実施形態２と異なる構成、作用であるほかは前記実施形態１および実施形態２と同様の構成、作用である。
【産業上の利用可能性】
【００４９】
本考案は、ゴルフクラブをキャディバッグ内に収容する等して運搬したり、携行する時に、アイアンクラブ等のヘッド相互が振動により衝突したり、擦れる等して傷付くのを防止し、しかもゴルフクラブの使用時にはカバーを取り外さなくても例えば所望番数のアイアンクラブを外部から容易に確認して選択し、さらにはカバーを取り外さなくてもキャディバッグの所望個所に所望のゴルフクラブを容易かつ確実に出し入れすることができる等、取り扱いを簡便にするという用途・機能に適する。
【図面の簡単な説明】
【００５０】
【図１】図１は本考案のゴルフクラブのヘッドカバーの実施形態１の展開状態を示す斜視図である。
【図２】図２は同じくカバー本体の両端が僅かにつぼめられた斜視図である。
【図３】図３は同じく本実施形態１を構成するカバー本体の柔軟性部材を示す拡大断面図である。
【図４】図４は同じく同じく本実施形態１のヘッドカバーによりヘッドが覆われゴルフクラブの使用状態の一例を示す拡大斜視図である。
【図５】図５は同じく不使時に折り畳んだ状態の斜視図である。
【図６】図６は本考案のゴルフクラブのヘッドカバーの実施形態２の展開状態を示す斜視図である。
【図７】図７は本考案のゴルフクラブのヘッドカバーの実施形態３を示し、ヘッド収納部内にゴルフクラブのヘッドを収納した断面図である。
【符号の説明】
【００５１】
１    カバー本体
２    ヘッド収納部
２ａ  側壁部
２ｂ  側端
３    開口部
７    係止具
８    開閉手段
１１  締紐
１２  巾着
１３  フック材
１４  ストッパ−部材
１５  キャディバッグ
Ｉ    アイアンクラブ
Ｊ１  上辺
Ｊ２  下辺
Ｌ１  長さ
Ｌ２  長さ
Ｘ    長手方向
【図１】
0003108904.tif 000003
【図２】
0003108904.tif 000004
【図３】
0003108904.tif 000005
【図４】
0003108904.tif 000006
【図５】
0003108904.tif 000007
【図６】
0003108904.tif 000008
【図７】
0003108904.tif 000009